(57)【要約】【課題】シールド性能を向上させる。【解決手段】本発明は、金属製のケースの外面からフード状をなして突出して設けられた取付部６０に接続されるシールドコネクタ１０であって、ハウジング２０と、このハウジング２０の外面を覆う筒状をなす金属製のシェル本体４１と、シェル本体４１と一体に設けられ、取付部６０の外周面に対して取付部６０の突出方向と交差する方向からボルト締結される金属製の固定片４４と、シェル本体４１における取付部６０側のシェル側端部である立壁部４２と取付部６０におけるシェル本体４１側のケース側端部とに挟まれて、立壁部４２とケース側端部とを導通可能に接続する導電性クッション１００とを備えた構成としたところに特徴を有する。【選択図】図７
2011060452.tif 000002
【特許請求の範囲】
【請求項１】
金属製のケースの外面からフード状をなして突出して設けられた取付部に接続されるシールドコネクタであって、
ハウジングと、
このハウジングの外面を覆う筒状をなす金属製のシェル本体と、
前記シェル本体と一体に設けられ、前記取付部の外周面に対して前記取付部の突出方向と交差する方向からボルト締結される金属製の固定片と、
前記シェル本体における前記取付部側のシェル側端部と前記取付部における前記シェル本体側のケース側端部とに挟まれて、前記シェル側端部と前記ケース側端部とを導通可能に接続する導電性材料とを備えたシールドコネクタ。
【請求項２】
前記シェル側端部は、前記シェル本体から径方向外側に立ち上がる形態をなし、前記シェル本体と前記固定片とを段差状に連結していることを特徴とする請求項１に記載のシールドコネクタ。
【請求項３】
前記導電性材料は、前記シェル側端部および前記ケース側端部のいずれか一方に対して導電性粘着材を介して貼着されていることを特徴とする請求項１または請求項２に記載のシールドコネクタ。
【請求項４】
前記導電性材料は、クッション性を有することを特徴とする請求項１ないし請求項３のいずれか一項に記載のシールドコネクタ。
【請求項５】
前記導電性材料は、導電性ポリエチレンからなることを特徴とする請求項１ないし請求項４のいずれか一項に記載のシールドコネクタ。
【発明の詳細な説明】
【技術分野】
【０００１】
本発明は、シールドコネクタに関する。
【背景技術】
【０００２】
従来、シールド機能を有するシールドコネクタとして、例えば下記特許文献１に記載のものが知られている。このシールドコネクタは、機器側ケースに設けられた取付部に取り付け固定されるハウジング、このハウジングを覆うようにして形成されたシールドシェルなどを備えて構成されている。シールドシェルは、鉄製の板材を母材としてプレス加工することで形成されており、機器側ケースの固定孔に対してボルトを挿通するための挿通孔を備えている。固定孔と挿通孔は、互いの軸心位置が所定の公差の範囲内でずれた場合でもボルト締結ができるように、挿通孔が固定孔よりも大きめに形成されている。
【先行技術文献】
【特許文献】
【０００３】
【特許文献１】特開２００９−１０４８３７号公報
【発明の概要】
【発明が解決しようとする課題】
【０００４】
しかしながら、挿通孔を固定孔よりも大きくすると、ハウジングが取付部に対して嵌合方向にずれて固定される場合がある。その場合には、シールドシェルと取付部が互いに対向する対向部に隙間が形成されてしまい、シールド性能を低下させる一因となり得る。
【０００５】
本発明は上記のような事情に基づいて完成されたものであって、シールド性能を向上させることを目的とする。
【課題を解決するための手段】
【０００６】
本発明は、金属製のケースの外面からフード状をなして突出して設けられた取付部に接続されるシールドコネクタであって、ハウジングと、このハウジングの外面を覆う筒状をなす金属製のシェル本体と、シェル本体と一体に設けられ、取付部の外周面に対して取付部の突出方向と交差する方向からボルト締結される金属製の固定片と、シェル本体における取付部側のシェル側端部と取付部におけるシェル本体側のケース側端部とに挟まれて、シェル側端部とケース側端部とを導通可能に接続する導電性材料とを備えた構成としたところに特徴を有する。
【０００７】
このような構成によると、固定片を取付部にボルト締結することにより、シェル本体および取付部が導電性材料を介して導通可能に接続される。ここで、シェル本体の取付状態によっては、シェル側端部とケース側端部との間に隙間が形成される場合がある。その場合でも、前記隙間が導電性材料で覆われ、かつ、導電性材料がシェル本体と取付部の双方にアース接続されるため、シールド性能を向上させることができる。
【０００８】
本発明の実施の態様として、以下の構成が好ましい。
シェル側端部は、シェル本体から径方向外側に立ち上がる形態をなし、シェル本体と固定片とを段差状に連結している構成としてもよい。
このような構成によると、シェル側端部の導電性材料に対する接触面積を広くすることができるため、シールド性能を向上させることができる。
【０００９】
導電性材料は、シェル側端部およびケース側端部のいずれか一方に対して導電性粘着材を介して貼着されている構成としてもよい。なお、導電性粘着材としては、例えば導電性アクリルを主成分とする粘着テープを用いることができる。
このような構成によると、シェル側端部およびケース側端部のいずれか一方に導電性材料を予め貼着しておくことができるため、シールドコネクタを取付部へ取り付ける際に、導電性材料を手で持たなくてもよく、取付作業が容易になる。
【００１０】
導電性材料は、クッション性を有する構成としてもよい。
このように構成すると、導電性材料がケース側端部の表面形状に沿って接続されるため、ケース側端部の表面を鏡面加工などしなくて導通可能に接続することができる。
【００１１】
導電性材料は、導電性ポリエチレンからなる構成としてもよい。
導電性材料としては、例えば弾性部材を編組線で覆った構成なども考えられる。その点、上記構成によると、導電性ポリエチレンのみで導電性材料を構成できるから、容易に導電性材料を形成することができる。
【発明の効果】
【００１２】
本発明によれば、シールド性能を向上させることができる。
【図面の簡単な説明】
【００１３】
【図１】実施形態のシールドコネクタの平面図
【図２】シールドコネクタの側面図
【図３】シールドコネクタの正面図
【図４】シールドコネクタの背面図
【図５】図３におけるＡ−Ａ線断面図
【図６】図３におけるＢ−Ｂ線断面図
【図７】シールドコネクタを取付部に取り付け固定した状態を示した断面図
【図８】図６における要部拡大断面図
【図９】図７における要部拡大断面図
【発明を実施するための形態】
【００１４】
＜実施形態＞
本発明の実施形態を図１ないし図９の図面を参照しながら説明する。本実施形態のシールドコネクタ１０は、図１に示すように、合成樹脂製のハウジング２０、ハウジング２０に取り付けられた複数の端子金具３０、ハウジング２０の外面を覆うシールドシェル４０、編組線Ｈをシールドシェル４０にかしめ付けるかしめリング５０などを備えて構成されている。なお、以下の説明において前後方向とはシールドコネクタ１０の取付部６０に対する取付方向を基準とし、嵌合面側を前側とする。
【００１５】
このシールドコネクタ１０は、金属製の機器側ケースに取り付けられるようになっており、この機器側ケースの外面には、図６の右側に示すように、フード状をなして前後方向に突出する取付部６０が設けられている。取付部６０の内部には、前後方向に貫通する取付孔６２が形成されている。取付部６０の上部には、ボルト７０を固定する固定孔６１が貫通形成されており、固定孔６１の内周面には雌ねじが形成されている。このため、図７に示すように、ボルト７０を固定孔６１に対して上下方向（前後方向と直交する方向）から締め込むことによりシールドコネクタ１０が取付部６０に取り付け固定される。
【００１６】
ハウジング２０は、図１ないし図４に示すように、横長扁平形状をなしており、ハウジング２０の内部には、図５および図６に示すように、前後方向に貫通するキャビティ２１が形成されている。キャビティ２１には、端子金具３０が後方から挿入可能である。キャビティ２１の内部には、片持ち状をなして前方に突出するランス２２が形成されている。また、キャビティ２１の後部には、ゴム栓８０が装着されており、キャビティ２１の内周面と電線Ｗの外周面との間を防水している。ゴム栓８０は、同ゴム栓８０の後面部に接して配置されたバックリテーナ９０によって後方に抜け止めされている。
【００１７】
バックリテーナ９０は、ハウジング２０の後部に装着されており、図４に示すように、一対の半割体を組み付けて構成されている。バックリテーナ９０の上下両側には、図６に示すように、一対の抜止突起９１がゴム栓８０毎に設けられている。一方、ハウジング２０の後部におけるバックリテーナ９０の上下両側には、両抜止突起９１と前後方向に係止する一対の抜止孔２３が形成されている。両抜止突起９１が両抜止孔２３に係止することにより、バックリテーナ９０の後方への移動が規制されている。
【００１８】
端子金具３０は、平板状をなす端子接続部３１と、電線Ｗの端末に接続された電線接続部３２とを備えて構成されている。端子接続部３１は、ハウジング２０の前端部から前方に突出する形態をなしている。端子接続部３１の前端部には、機器側の端子台（図示せず）にボルト締結される接続孔３４が貫通形成されており、端子接続部３１の後端部には、ランス２２が係止するランス係止孔３３が貫通形成されている。ランス２２がランス係止孔３３に係止することにより、端子金具３０の後方への抜け止めがされている。電線接続部３２は、一対のバレル片を有し、両バレル片によって電線Ｗの芯線をかしめ付けることにより、電線Ｗと端子金具３０が導通可能に接続されている。
【００１９】
ハウジング２０において端子接続部３１を覆う端子収容部２４は、取付孔６２に嵌合可能である。端子収容部２４は、図３に示すように、複数の端子接続部３１を横並びに配置してなる横長の楕円形状をなしている。一方、ハウジング２０において電線接続部３２および電線Ｗの端末を覆う電線収容部２５は、図４に示すように、電線Ｗ毎に個別に形成されており、これらの電線収容部２５を一括して覆う形態でシールドシェル４０が装着されるようになっている。
【００２０】
端子収容部２４の外周面には、取付溝２７が周設されており、この取付溝２７には、シールリング８１が嵌着されている。端子収容部２４を取付孔６２に嵌合させると、図７に示すように、シールリング８１が取付溝２７の外周面と取付孔６２の内周面との双方に密着するため、これらの間が防水される。
【００２１】
シールドシェル４０は、図６に示すように、複数の電線収容部２５を一括して覆う筒状のシェル本体４１と、シェル本体４１の前端周縁部から径方向外側に立ち上がる立壁部４２とを備えて構成されている。シェル本体４１の後端開口縁部には、図４に示すように、複数の抜止片２８が係止しており、これらの抜止片２８は、ハウジング２０の上下両側において隣り合う電線収容部２５の間に設けられている。抜止片２８がシェル本体４１の後端開口縁部に係止することにより、シェル本体４１がハウジング２０に対して後方に抜け止めされた状態で保持されている。なお、シールドシェル４０は、鉄製の金属平板をプレス加工することによって形成されており、シェル本体４１は、立壁部４２に対して絞り加工することによって形成されている。
【００２２】
複数の電線収容部２５には、それぞれ複数の電線Ｗが後方に引き出されており、これらの電線Ｗからなる導電路を一括して覆うようにして編組線Ｈが設けられている。編組線Ｈの前端部は、図６に示すように、シェル本体４１の外周面においてかしめリング５０により圧着固定されている。シェル本体４１の外周面に対してかしめリング５０を圧着することにより、編組線Ｈがかしめリング５０とシェル本体４１との間に挟持され、編組線Ｈとシールドシェル４０が導通可能に接続される。
【００２３】
立壁部４２の上縁部における幅方向両側には、図３に示すように、一対の固定片４４が設けられている。固定片４４は、立壁部４２を基準として前方に突出しているのに対して、シェル本体４１は、立壁部４２を基準として後方に突出している。すなわち、シェル本体４０と固定片４４は、立壁部４２を介して段差状に連結されている。なお、固定片４４は、立壁部４２に対して曲げ加工することによって形成されている。
【００２４】
両固定片４４は、図１に示すように、幅方向に所定の間隔を空けて前方に張り出す形態をなしており、固定片４４には、挿通孔４５が貫通形成されている。この挿通孔４５は、固定孔６１よりもやや大きめに形成されている。このため、固定孔６１の軸心位置と挿通孔４５の軸心位置が所定の公差の範囲内でずれている場合でも、ボルト７０を挿通孔４５に挿通して固定孔６１にボルト締めできるようになっている。
【００２５】
さて、立壁部４２の前面における端子収容部２４の外周と対応する位置には、図３に示すように、横長の円環形状をなす導電性クッション１００が貼り付けられている。詳細には導電性クッション１００は、図８に示すように、導電性粘着シート１０１によって立壁部４２の前面に貼着されている。この導電性クッション１００は、導電性ポリエチレンからなり、クッション性を有している。
【００２６】
シールドコネクタ１０を取付部６０に取り付け固定した状態では、図９に示すように、導電性クッション１００が立壁部４２と取付部６０の先端部とによって挟まれた状態となる。導電性クッション１００および導電性粘着シート１０１は、いずれも導電性を有しており、立壁部４２と取付部６０の先端部は、導電性クッション１００および導電性粘着シート１０１によって導通可能に接続される。また、立壁部４２と取付部６０の先端部が互いに対向する対向部は、導電性クッション１００および導電性粘着シート１０１によって隙間無く連続して形成されることになる。なお、立壁部４２は本発明の「ケース側端部」に対応し、取付部６０の先端部は本発明の「シェル側端部」に対応している。
【００２７】
導電性クッション１００の厚さは、固定孔６１と挿通孔４５の形状に違いに起因したガタを吸収できる程度に設定されている。すなわち、立壁部４２と取付部６０の先端部とが最も離れた状態でシールドシェル４０が取付部６０に固定された場合でも、立壁部４２と取付部６０の先端部との間を導電性クッション１００によって埋め込まれるように設定されている。このため、シールドシェル４０の取付状態にかかわらず、立壁部４２から取付部６０にかけての範囲に隙間が形成されないため、シールド性能を向上させることができる。なお、本実施形態では約１ｍｍ厚の導電性クッション１００を使用し、約３５μｍ厚の導電性粘着シート１０１を使用しているものの、これらの厚さは製品形状に応じて適宜変更可能である。
【００２８】
本実施形態は以上のような構成であって、続いてシールドコネクタ１０の組付方法について説明する。シールドコネクタ１０を取付部６０に取り付けるには、端子収容部２４を取付孔６２に嵌合させる。端子収容部２４が取付孔６２に対して正規の深さで嵌合すると、ボルト７０を挿通孔４５に通して固定孔６１に締め込んでいく。ボルト７０の締め込みが完了すると、シールドシェル４０が取付部６０に対して固定された状態となる。このとき、導電性クッション１００および導電性粘着シート１０１は、立壁部４２と取付部６０の先端部とに挟まれて、立壁部４２と取付部６０の先端部とが導通可能に接続される。これにより、立壁部４２から取付部６０にかけての範囲が隙間無く形成され、かつ、導電性クッション１００が立壁部４２に対して導電性粘着シート１０１を介してアース接続されるとともに取付部６０に対してアース接続される。したがって、シールド性能を向上させることができる。
【００２９】
以上のように本実施形態では、導電性クッション１００によって立壁部４２と取付部６０の先端部とを隙間無く連結することができ、導電性クッション１００を立壁部４２と取付部６０の先端部との双方にアース接続できる。また、立壁部４２に導電性クッション１００を接続するようにしたから、立壁部４２と導電性クッション１００との接触面積を稼ぐことができる。また、導電性粘着シート１０１で導電性クッション１００を立壁部４２に貼着したから、シールドコネクタ１０を取付部６０に取り付ける作業が容易になる。また、クッション性を有する導電性クッション１００を採用したから、取付部６０の先端部を鏡面加工などしなくても導電性クッション１００と取付部６０の先端部との接触面積を稼ぐことができる。また、導電性ポリエチレンからなる導電性クッション１００を採用したから、容易に導電性材料を形成することができる。
【００３０】
＜他の実施形態＞
本発明は上記記述及び図面によって説明した実施形態に限定されるものではなく、例えば次のような実施形態も本発明の技術的範囲に含まれる。
（１）上記実施形態では立壁部４２に導電性クッション１００を導通可能に接続しているものの、本発明によると、立壁部４２を備えていないシールドシェル４０の場合には、シェル本体４１の前端部に導電性クッション１００を導通可能に接続してもよい。
（２）上記実施形態では導電性クッション１００が導電性粘着シート１０１を介して立壁部４２に貼着されているものの、本発明によると、導電性クッション１００が導電性粘着シート１０１を介して取付部６０の先端部に貼着されているものでもよい。
【００３１】
（３）上記実施形態ではクッション性を有する導電性クッション１００を使用しているものの、本発明によると、立壁部４２と取付部６０の先端部とに挟まれることで塑性変形する導電性材料を使用してもよい。
（４）上記実施形態では導電性ポリエチレンからなる導電性クッション１００を使用しているものの、本発明によると、導電性材料として導電性ポリプロピレンや導電性ゴムなどを使用してもよい。
【００３２】
（５）上記実施形態では端子金具３０を備えたシールドコネクタ１０を例示しているものの、本発明によると、端子金具３０を備えていないキャップに適用してもよい。
（６）上記実施形態では端子収容部２４が取付孔６２に内嵌するようにしているものの、本発明によると、端子収容部２４が取付部６０に外嵌する構成としてもよい。
【符号の説明】
【００３３】
１０…シールドコネクタ
２０…ハウジング
４１…シェル本体
４２…立壁部（シェル側端部）
６０…取付部
７０…ボルト
１００…導電性クッション（導電性材料）
１０１…導電性粘着シート
【図１】
2011060452.tif 000003
【図２】
2011060452.tif 000004
【図３】
2011060452.tif 000005
【図４】
2011060452.tif 000006
【図５】
2011060452.tif 000007
【図６】
2011060452.tif 000008
【図７】
2011060452.tif 000009
【図８】
2011060452.tif 000010
【図９】
2011060452.tif 000011